(57)【要約】【課題】  入賞口をケースの奥側の左右いずれかに形成するタイプにおいて、ケースの製作が容易となると共に、上下寸法が大きくなることを抑えることができるようにする。【解決手段】  遊戯盤２に組み込まれるものであって前面に横長な大入賞口９を有するケース７と、前記大入賞口９を開閉する開閉扉１０と、前記ケース７の奥側の右側に形成された入賞口１８とを備え、前記ケース７において前記大入賞口９の奥方の下面部１２を、正面からみて水平状態で且つ奥方へは下降傾斜する形態に形成し、且つ、該ケース７において前記大入賞口９の奥方の左右壁部１３、１４及び奥壁部１５を、平面的に見て順次奥方へ後退し前記入賞口１８の後縁部近傍で最奥となる形態に形成した。【選択図】  図１
2005329043.tif 000002
【特許請求の範囲】
【請求項１】
遊戯盤に組み込まれるものであって前面に横長な大入賞口を有するケースと、前記大入賞口を開閉する開閉部材と、前記ケースの奥側の左右いずれか一方のみに形成された入賞口とを備え、
前記ケースの下面部を、正面からみて水平状態で且つ奥方へは下降傾斜する形態に形成し、
且つ、該ケースにおいて前記大入賞口の奥方の壁面部を、平面的に見て順次奥方へ後退し前記入賞口の後縁部近傍で最奥となる形態に形成したことを特徴とする遊技機の入賞装置。
【発明の詳細な説明】
【技術分野】
【０００１】
本発明は、アタッカー型の遊技機の入賞装置に関する。
【背景技術】
【０００２】
従来より、図柄表示装置に変動表示された図柄が特定の表示態様になると、遊戯者に特典を付与する遊戯機が広く知られている。このものでは、アタッカー型の入賞装置を備えていて、上述の特典が発生すると、入賞装置のケース前面の大入賞口の開閉扉を開放し、この大入賞口に遊戯球を入球させやすくするようにしている。
この場合、この入賞装置のケースの奥部には特定入賞口（通称「Ｖゾーン」などと呼ばれる入賞口）と通常入賞口とが横方向に並んで形成されており、上記特典が発生すると、最初に開閉扉が開放し、所定時間例えば３０秒間又は所定個数例えば１０個の入球があるまで開放する。このとき特定入賞口に入球すると、この後の開閉扉の所定時間例えば３０秒間あるいは所定個数入球の開放の権利が付与される（開閉回数は定められている）。この権利がある場合には、開閉扉が閉鎖後再度開く。そして、特定入賞口に入球すると、次回の開閉扉の開放の権利が付与される。そして、このような入賞装置としては、特許文献１がある。なお、上述の特定入賞口と通常入賞口とは分けて形成することが法規で義務付けされていたが、法規の改定により、一つの入賞口としても良いことが規定された。
【特許文献１】特開平８−８４８１３号公報
【発明の開示】
【発明が解決しようとする課題】
【０００３】
アタッカー型の入賞装置として、一つの入賞口を設ける構成とする場合、入賞装置のケースの奥部の左右いずれかの部位に形成することが考えられる。
ここで、このケースの形状としては、上記特許文献１に示されるように、前面に大入賞口を備え、その奥方の左右に側面部を備え、奥面に奥面部とを備えた形状であり、平面的にみてコ字形をなしている。
【０００４】
このようなケースにおいて、奥部の左右いずれかに入賞口を形成するとすれば、この入賞口に遊戯球を誘導するには、ケース底面部を奥側へ下降傾斜させると共に、左右方向についても入賞口側が低くなるように傾斜させる必要がある。
しかしながら、これでは、ケース底面に奥方向へ下降傾斜させる以外に左右のいずれかにも傾斜させなければならず、つまりニ方向傾斜形態としなければならず、製作が面倒となると共に、左右方向に傾斜をつけるとケース全体の上下寸法も大きくなる不具合があった。
【０００５】
本発明は上述の事情に鑑みてなされたものであり、その目的は、入賞口をケースの奥側の左右いずれかに形成するタイプにおいて、ケースの製作が容易となると共に、上下寸法が大きくなることを抑えることができる遊技機の入賞装置を提供するにある。
【課題を解決するための手段】
【０００６】
請求項１の発明は、遊戯盤に組み込まれるものであって前面に横長な大入賞口を有するケースと、前記大入賞口を開閉する開閉部材と、前記ケースの奥側の左右いずれか一方のみに形成された入賞口とを備え、
前記ケースにおいて前記大入賞口の奥方の下面部を、正面からみて水平状態で且つ奥方へは下降傾斜する形態に形成し、
且つ、該ケースにおいて前記大入賞口の奥方の壁面部を、平面的に見て順次奥方へ後退し前記入賞口の後縁部近傍で最奥となる形態に形成したところに特徴を有する。
【０００７】
ケースの下面部を、正面からみて水平状態で且つ奥方へは下降傾斜する形態、つまり奥方への一方向傾斜形態とすると、下面部をニ方向傾斜形態とする場合に比して、ケースの製作が容易であり、上下方向の寸法も大きくはならない。しかし、入賞口に遊戯球が誘導されるとは限らない。
しかるに、請求項１の発明によれば、ケースの下面部を、正面からみて水平状態で且つ奥方へは下降傾斜する形態に形成するのみならず、該ケースにおいて前記大入賞口の奥方の壁面部を、平面的に見て順次奥方へ後退し前記入賞口の後縁部近傍で最奥となる形態に形成しているから、結果的に入賞口が下面部における最下部となり、大入賞口から奥方へ転動する遊戯球はその壁面部に沿って入賞口へと確実に誘導されるようになる。この結果、ケースの下面部を奥方へ一方向傾斜形態とすることで製作の容易化及び上下寸法の小型化を図ることができ、しかも、ケースの下面部を奥方へ一方向傾斜形態としながらも、左右方向の一方側に存在する入賞口へ確実に誘導できる。
【発明を実施するための最良の形態】
【０００８】
以下、本発明をパチンコ機に適用した第１の実施例につき図１ないし図５を参照して説明する。図２に示すように、パチンコ機１の遊戯盤２には作動口３及びアタッカー型の入賞装置４が設けられており、遊戯盤２は遊戯領域を構成している。作動口３は、遊戯球の通路を備えており、その通路入口には羽根５が開閉可能に支持されている。
遊戯盤２の中央部分（作動口３の上方）には、可変表示装置としての特別図柄表示装置（以下単に表示装置という）６が組み込まれている。この表示装置６では、図柄変動が、遊戯球の作動口３への入賞に基づいて開始させられる。この場合、図柄が大当たり図柄となると、入賞装置４の開閉部材たる開閉扉１０が開放し、大当たりの状態となり、より多くの賞球を獲得することが可能となる。
【０００９】
さて、上記入賞装置４は、図１、図３〜図５に示すように構成されている。ケース７の前面板８は遊戯盤２に組み込まれるものである。この前面板８の中央部には横長な大入賞口９が形成されており、この大入賞口９には、これを開閉する開閉扉１０が設けられている。この開閉扉１０は、ケース７に形成されたソレノイドケース部１１ａに収容されたソレノイド１１（図１参照）により開閉されるようになっている。
【００１０】
上記ケース７において前記大入賞口９の奥方には、下面部１２、左右壁部１３、１４、奥壁部１５、及び上面部１６を備えた入賞室１７が形成されている。前記下面部１２の奥部右部には、入賞口１８が形成されており、この入賞口１８部分には入球センサ１９（図３参照）が設けられている。
さて、前記大入賞口９の奥方に位置する下面部１２は正面からみて水平状態（図５参照）で且つ奥方へは下降傾斜する形態に形成されている（図４参照）。つまり一方向傾斜状態に形成されている。
【００１１】
また、図３に示すように、前記大入賞口９の奥方に位置する左右壁部１３、１４、及び奥壁部１５のうち、左右壁部１３、１４は奥方へ延び、そしてこの左右壁部１３、１４に連なる奥壁部１５は、前記入賞口１８後縁部で最奥となるように順次奥方へなだらかに後退する形態をなしている。
さて、上記構成において、表示装置６の図柄が大当たり図柄となると、入賞装置４の開閉扉１０が開放し、大当たりの状態となる。この場合、遊戯球は、開放状態の開閉扉１０、大入賞口９を経て入賞室１７に入球し、下面部１２を転動する。
【００１２】
このとき、この下面部１２が奥方へ傾斜しているから、遊戯球は奥方へ転動し、そして奥壁部１５の後退傾斜に沿って入賞口１８に入賞する。この場合、図示しない制御装置が、最初の入球を入球センサ１９により、特定入賞球としてカウントし、次の開閉扉１０の開放の権利を付与する。なお、この最初の入球は、通常入賞球としてもカウントする。２回目以降の入球は通常入賞球のみとしてカウントする。このカウント数が所定数例えば１０になるか、もしくは入球がない場合には所定時間例えば３０秒経過すると、開閉扉１０が閉鎖する。ここで、開放の権利が付与されていれば、再度開放する。この開放回数の上限は所定回数に設定されている。
【００１３】
このような本実施例によれば、ケース７の下面部１２を、正面からみて水平状態で且つ奥方へは下降傾斜する形態に形成するのみならず、該ケース７において前記大入賞口９の奥方の壁面部である左右壁部１３、１４及び奥壁部１５を、平面的に見て順次奥方へ後退し前記入賞口１８の後縁部近傍で最奥となる形態に形成しているから、結果的に入賞口１８が下面部１２における最下部となり、大入賞口９から奥方へ転動する遊戯球は左右壁部１３、１４及び奥壁部１５に沿って入賞口１８へと確実に誘導されるようになる。この結果、ケース７の下面部１２を奥方へ一方向傾斜形態とすることで製作の容易化及び上下寸法の小型化を図ることができ、しかも、ケース７の下面部１２を奥方へ一方向傾斜形態としながらも、左右方向の一方側に存在する入賞口１８へ確実に誘導できる。
【００１４】
図６は本発明の第２の実施例を示しており、この実施例においては、ケース７を前後分割された部材７ａと７ｂとを結合して構成している。この場合、下面部１２における接合部Ａにおいては奥方が一段と低くなる段差１２ａをつけるようにしている。
これによれば、ケース７を二つの部材７ａと７ｂとから構成するから、全体を型成形する場合に比して、型成形が容易となる。そして、下面部１２における接合部Ａは奥方が一段と低くなるので、遊戯球がスムーズに入賞口１８へと転動する。
【００１５】
図７は本発明の第３の実施例を示しており、この実施例においては、二つの入賞口２１、２２を設けている。この場合、入球センサ２３は、各入賞口２１、２２の個別に入球を検出することができるように構成されている。この場合、例えば手前側の入賞口２１を通常入賞口とし、奥方の入賞口２２を特定入賞口として使用するものである。
また、図８は本発明の第４の実施例を示しており、大入賞口９の奥方の壁面部は、左右壁部と奥壁部とに区別されることのない、滑らかに連続する曲面上の壁面部２４としている。要するに、ケースにおいて前記大入賞口の奥方の壁面部は、平面的に見て順次奥方へ後退し前記入賞口の後縁部近傍で最奥となる形態であれば、一つの曲面壁でも、多面壁でも良い。なお、入賞口は右側ではなく左側に設けても良い。
【図面の簡単な説明】
【００１６】
【図１】本発明の第１の実施例を示す入賞装置の斜視図
【図２】パチンコ機の遊戯盤を示す正面図
【図３】入賞装置の横断平面図
【図４】入賞装置の縦断側面図
【図５】入賞装置の縦断正面図
【図６】本発明の第２の実施例を示す図４相当図
【図７】本発明の第３の実施例を示す図３相当図
【図８】本発明の第４の実施例を示す図３相当図
【符号の説明】
【００１７】
図面中、１はパチンコ機（遊技機）、２は遊戯盤、４は入賞装置、９は大入賞口、１０は開閉扉（開閉部材）、１３は左壁部（壁面部）、１４は右壁部（壁面部）、１５は奥壁部（壁面部）、１８、２１、２２は入賞口、２４は壁面部を示す。
【図１】
2005329043.tif 000003
【図２】
2005329043.tif 000004
【図３】
2005329043.tif 000005
【図４】
2005329043.tif 000006
【図５】
2005329043.tif 000007
【図６】
2005329043.tif 000008
【図７】
2005329043.tif 000009
【図８】
2005329043.tif 000010